(57)【要約】      （修正有）【課題】屋根上作業者の転落事故を防止できる安価で簡易構造の装置にして、雪下ろし作業も容易に行われる屋根転落防止装置を提供する。【解決手段】屋根１上面の軒先付近に設置する柵部材２と、この柵部材２と棟側の屋根１上面との間に架設して柵部材２を立設支持する支持部材３とから成り、柵部材２は、複数のアングル鋼材を方形枠状に組成して、この柵部材２の枠内開口部５を雪排出用開口部５とすると共に、この柵部材２の下端に、屋根１上面に固定可能な軒側固定部６を設けた構成とし、支持部材３は、アングル鋼材を採用して、その一端を柵部材２の上部に起伏回動自在に枢着すると共に、この支持部材３の他端に、屋根１上面に固定可能な棟側固定部７を設けた構成とした屋根転落防止装置。【選択図】図１
0003197865.tif 000002
【実用新案登録請求の範囲】
【請求項１】
屋根上面の軒先付近に設置する柵部材と、この柵部材と柵部材設置位置より棟側の屋根上面との間に架設して柵部材を立設状態に支持する支持部材とから成る屋根転落防止装置であって、前記柵部材は、複数のアングル鋼材を方形枠状に組成して、この柵部材の枠内開口部を雪排出用開口部とすると共に、この柵部材の下端に、屋根上面に固定可能な軒側固定部を設けた構成とし、前記支持部材は、アングル鋼材を採用して、その一端を前記柵部材の上部に起伏回動可能に枢着すると共に、この支持部材の他端に、屋根上面に固定可能な棟側固定部を設けた構成として、この支持部材を、その一端の前記枢着部を支点に前記柵部材に対し起伏回動することにより、前記軒側固定部と前記棟側固定部の屋根上面への固定位置間隔を広狭調整して柵部材の立設角度を変更し得るように構成したことを特徴とする屋根転落防止装置。
【請求項２】
前記柵部材は、その左側縦枠部と右側縦枠部の下部寄り位置間に足下支持桟を架設状態に設けたことを特徴とする請求項１記載の屋根転落防止装置。
【請求項３】
前記柵部材は、その高さ寸法を７００〜１０００ｍｍに設定して、屋根上面に立設状態に設置したこの柵部材の上側横枠部が、成人の腰程度の高さに配設する構成としたことを特徴とする請求項１，２のいずれか１項に記載の屋根転落防止装置。
【請求項４】
前記柵部材は、その左側縦枠部と右側縦枠部に、他の柵部材の右側縦枠部と左側縦枠部を連結可能な連結手段を設けたことを特徴とする請求項１〜３のいずれか１項に記載の屋根転落防止装置。
【請求項５】
前記柵部材の下端に、屋根上面の瓦棒やハゼなどの突部に対して締付固定可能な前記軒側固定部を起伏回動自在に枢着すると共に、前記支持部材の他端に、前記突部に締付固定可能な前記棟側固定部を起伏回動自在に枢着したことを特徴とする請求項１〜４のいずれか１項に記載の屋根転落防止装置。
【考案の詳細な説明】
【技術分野】
【０００１】
本考案は、屋根の雪下ろし作業中の転落事故を防止する屋根転落防止装置に関するものである。
【背景技術】
【０００２】
屋根の雪下ろしは、作業者が命綱を身に付けたり、屋根上に設置されている雪止め金具を足場にしたりするなどして安全確保に努めながら行っているが、転落事故の発生が後を絶たず、これを未然に防止できる技術の登場が望まれている。
【考案の概要】
【考案が解決しようとする課題】
【０００３】
本考案は、このような現状に鑑みて成されたもので、屋根上作業者の転落事故を防止できる安価で簡易構造の装置にして、雪下ろし作業も容易に行われる実用性に優れた屋根転落防止装置を提案するものである。
【課題を解決するための手段】
【０００４】
添付図面を参照して本考案の要旨を説明する。
【０００５】
屋根１上面の軒先付近に設置する柵部材２と、この柵部材２と柵部材２設置位置より棟側の屋根１上面との間に架設して柵部材２を立設状態に支持する支持部材３とから成る屋根転落防止装置Ａであって、前記柵部材２は、複数のアングル鋼材４を方形枠状に組成して、この柵部材２の枠内開口部５を雪排出用開口部５とすると共に、この柵部材２の下端に、屋根１上面に固定可能な軒側固定部６を設けた構成とし、前記支持部材３は、アングル鋼材４を採用して、その一端を前記柵部材２の上部に起伏回動可能に枢着すると共に、この支持部材３の他端に、屋根１上面に固定可能な棟側固定部７を設けた構成として、この支持部材３を、その一端の前記枢着部８を支点に前記柵部材２に対し起伏回動することにより、前記軒側固定部６と前記棟側固定部７の屋根１上面への固定位置間隔を広狭調整して柵部材２の立設角度を変更し得るように構成したことを特徴とする屋根転落防止装置に係るものである。
【０００６】
また、前記柵部材２は、その左側縦枠部11と右側縦枠部12の下部寄り位置間に足下支持桟14を架設状態に設けたことを特徴とする請求項１記載の屋根転落防止装置に係るものである。
【０００７】
また、前記柵部材２は、その高さ寸法を７００〜１０００ｍｍに設定して、屋根１上面に立設状態に設置したこの柵部材２の上側横枠部13が、成人の腰程度の高さに配設する構成としたことを特徴とする請求項１，２のいずれか１項に記載の屋根転落防止装置に係るものである。
【０００８】
また、前記柵部材２は、その左側縦枠部11と右側縦枠部12に、他の柵部材２の右側縦枠部12と左側縦枠部11を連結可能な連結手段９を設けたことを特徴とする請求項１〜３のいずれか１項に記載の屋根転落防止装置に係るものである。
【０００９】
また、前記柵部材２の下端に、屋根１上面の瓦棒10Ａやハゼ10Ｂなどの突部10に対して締付固定可能な前記軒側固定部６を起伏回動自在に枢着すると共に、前記支持部材３の他端に、前記突部10に締付固定可能な前記棟側固定部７を起伏回動自在に枢着したことを特徴とする請求項１〜４のいずれか１項に記載の屋根転落防止装置に係るものである。
【考案の効果】
【００１０】
本考案は上述のように構成したから、設置対象の様々な屋根勾配に応じて、柵部材の立設角度を適正な立設角度に変更でき、設置現場での体裁等を考慮した柵部材の立設角度に調整設定することもでき、作業者は屋根上の本装置を視認して屋根軒先位置を把握しながら安全に雪下ろし作業を行うことができると共に、命綱を用いずとも作業者の屋根からの転落を未然に防止でき、また、屋根上に設置された本装置（柵部材）により雪庇が形成されにくくなり、しかも、柵部材に雪排出用開口部を設けたため、枠部材が雪下ろしの妨げとならず、スノーダンプ（登録商標）を使用した雪下ろし作業も可能となり、その上、柵部材と支持部材とをアングル鋼材を用いて構成したため、装置強度が高く良好な転落防止効果を発揮でき、アングル鋼材は、枠状に組成して柵部材を構成したり柵部材に支持部材を枢着したりすることも容易に可能であるので、製作容易で安価な製品を提供可能となるなど、極めて実用性に優れた屋根転落防止装置となる。
【００１１】
また、請求項２記載の考案においては、足下支持桟で作業者の足下も支持されて一層効果的に屋根からの転落を防止でき、例えば転倒した作業者もこの足下支持桟に支持されて滑落を良好に防止できるなど、一層実用性に優れた構成の屋根転落防止装置となる。
【００１２】
また、請求項３記載の考案においては、柵部材の上側横枠部が、成人の腰程度の高さに配設するため、作業者がこの上側横枠部につかまり易い上に、この上側横枠部に作業者の腰付近が支持されて転落を良好に防止できる一層実用性に優れた構成の屋根転落防止装置となる。
【００１３】
また、請求項４記載の考案においては、複数の本装置を並べて連結設置でき、設置対象の屋根の広さに応じた範囲への設置が容易に可能となる一層実用性に優れた構成の屋根転落防止装置となる。
【００１４】
また、請求項５記載の考案においては、屋根に加工を要することなく、屋根の瓦棒やハゼなどの突部を利用して簡単に後付け設置できる一層実用性に優れた構成の屋根転落防止装置となる。
【図面の簡単な説明】
【００１５】
【図１】実施例１の使用状態を示す概略説明斜視図である。
【図２】実施例１（装置ユニット）を示す斜視図である。
【図３】実施例１（装置ユニット）を示す一部を省略した分解斜視図である。
【図４】実施例１（装置ユニット）の連結手段を示す説明拡大斜視図である。
【図５】実施例１の使用状態を示す側断面図である。
【図６】実施例２の使用状態を示す概略説明斜視図である。
【図７】実施例２（装置ユニット）を示す斜視図である。
【図８】実施例２（装置ユニット）を示す一部を省略した分解斜視図である。
【図９】実施例２の使用状態を示す側断面図である。
【考案を実施するための形態】
【００１６】
好適と考える本考案の実施形態を、図面に基づいて本考案の作用を示して簡単に説明する。
【００１７】
柵部材２の下端に設けた軒側固定部６を屋根１上面の軒先付近に固定すると共に、この柵部材２設置位置より棟側の屋根１上面に、支持部材３の他端に設けた棟側固定部７を固定すると、本考案の屋根転落防止装置Ａが屋根１上に設置固定されると共に、支持部材３によって柵部材２が屋根１上で立設状態に支持されることになる。
【００１８】
この際、柵部材２の上部に一端を枢着した支持部材３を、この枢着部８を支点にして柵部材２に対し起伏回動させると、前記軒側固定部６と前記棟側固定部７の屋根１上面への固定位置間隔を広狭調整することができ、この間隔調整により柵部材２の立設角度を変更することができる。
【００１９】
従って、設置対象の屋根１の勾配角度に応じて、柵部材２の立設角度を適正な立設角度に保持できるので、様々な勾配屋根１に対して幅広く対応使用可能であると共に、設置現場での体裁等を考慮した柵部材２の立設角度に調整設定することもできる。
【００２０】
尚、請求項１中の「柵部材２を立設状態に支持する」なる記載は、柵部材２を鉛直に立った状態に支持することだけを意味するのではなく、柵部材２を傾斜状態に支持することも含む意味合いで用いている。
【００２１】
このようにして屋根１上に設置された本考案の屋根転落防止装置Ａにより、屋根１の雪下ろし作業中に命綱を使用していなくとも（命綱を併用しても良いが）軒先付近に設置されたこの柵部材２の存在により作業者の屋根１上からの転落が未然に防止されることになる。
【００２２】
また、柵部材２を雪下ろし作業中に作業者が視認することにより、屋根１の軒先位置を作業者が明確に把握しながら安全に作業を行うことができる。
【００２３】
また、複数のアングル鋼材４を方形枠状に組成した柵部材２の枠内開口部５（雪排出用開口部５）から、雪を屋根１下方に排出することができる。従って、枠部材２が雪下ろしの妨げとなりにくく、スノーダンプ（登録商標）を使用した雪下ろし作業も可能となる。
【００２４】
また、アングル鋼材４を用いて構成する本考案の柵部材２と支持部材３とは、強度が高く転落防止作用を極めて良好に発揮でき、しかも、アングル鋼材４は入手し易い上、枠状に組成して柵部材２を構成したり柵部材２に支持部材３を枢着したりすることが容易に可能であるので、製作容易で安価な製品を提供可能となる。
【００２５】
また、屋根転落防止装置Ａが屋根１上面の軒先付近に設置されると、この柵部材２に雪がせき止められ切断されるなどして、雪塊の成長が抑制されるので、雪庇ができにくい。
【００２６】
また、例えば、屋根１上に設置固定された屋根転落防止装置Ａの柵部材２に梯子をかけて縛ることもでき、このようにすると梯子を介した屋根１への昇降作業の安全性が向上することになる。
【実施例１】
【００２７】
本考案の具体的な実施例１について図１〜図５に基づいて説明する。
【００２８】
本実施例は、屋根１上面の軒先付近に設置する柵部材２と、この柵部材２と柵部材２設置位置より棟側の屋根１上面との間に斜設状態に架設して柵部材２を立設状態に支持する支持部材３とから成る構成屋根転落防止装置Ａに係るものであって、図１に示すような瓦棒葺き屋根１Ａ用に構成した場合である。
【００２９】
具体的には、本実施例の前記柵部材２は、図２に示すように、左側縦枠部11と右側縦枠部12と上側横枠部13と下側横枠部15とを方形枠状に組んで構成し、この柵部材２の枠内開口部５を雪排出用開口部５として、転落防止柵でありながらも雪排出用開口部５から容易に屋根１上の雪を排出できるようにしている。また、この左側縦枠部11，右側縦枠部12，上側横枠部13及び下側横枠部15は、いずれもアングル鋼材４を採用して構成すると共に、上側横枠部13及び下側横枠部15の長さ寸法を、左側縦枠部11及び右側縦枠部12の長さ寸法より長くして、横長方形枠状の前記柵部材２を構成している。
【００３０】
尚、本実施例では、この柵部材２の図１，図２における手前側を前側（軒先に向ける側）と定めて、以下を説明する。
【００３１】
この柵部材２について更に詳しく説明すると、左右一対の左側縦枠部11と右側縦枠部12とは、平面視でその一側板部11Ａ・12Ａ同士が対向内側に向かって突出すると共に、夫々の他側板部11Ｂ・12Ｂが後方に向かって突出するようにして左右対称に配設し、上下一対の上側横枠部13と前記下側横枠部15とは、いずれもその一側板部13Ａ・15Ａが前方へ突出すると共に、他側板部13Ｂ・15Ｂが下方へ垂下突出するように配設した構成としている。
【００３２】
そして、この左側縦枠部11，右側縦枠部12の上端間と下端間とに、上側横枠部13と下側横枠部15とを架設し、前記左側縦枠部11と右側縦枠部12の一側板部11Ａ・12Ａの上端と下端に、上側横枠部13と下側横枠部15の他側板部13Ｂ・15Ｂの左右両端を重合固定した構成としている。
【００３３】
また、左側縦枠部11，右側縦枠部12への上側横枠部13，下側横枠部15の固定構造（長方形枠状の柵部材２の組成構造）は、図３に示すように、左側縦枠部11と右側縦枠部12の一側板部11Ａ・12Ａの上端と下端にボルト孔16を貫通形成する一方、このボルト孔16と連通させる連通孔17を、上側横枠部13と下側横枠部15の他側板部13Ｂ・15Ｂの左右両端に貫通形成し、このボルト孔16と連通孔17とを連通させてこの連通孔16・17に固定ボルト18を挿通し、固定ボルト18にナット19を螺着して締付け回動することにより、左側縦枠部11と右側縦枠部12の一側板部11Ａ・12Ａに上側横枠部13と下側横枠部15の他側板部13Ｂ・15Ｂを重合固定した構造としている。
【００３４】
また、柵部材２は、その右端側（図２において左側）の下端に、屋根１上面の瓦棒10Ａ（突部10）に対して締付固定可能な軒側固定部６を設けている。
【００３５】
この軒側固定部６は、詳しく図示していないが、締付ボルト20による瓦棒10Ａへの締付固定構造を具備する公知の瓦棒葺き屋根１Ａ用の雪止めアングル固定金具６Ａを採用している。そして、この軒側固定部６Ａを、取付用アングル21を介して前記右側縦枠部12の一側板部12Ａの下端に対し起伏回動可能に枢着した構成としている。
【００３６】
また、取付用アングル21は、短尺なアングル鋼材４から成ると共に、その一側板部21Ａの両端に取付孔22を貫通形成したものとし、この取付用アングル21を用いた軒側固定部６Ａの右側縦枠部12下端への枢着構造は、右側縦枠部12の他側板部12Ｂの下端にボルト挿通孔23を貫通形成し、前記取付用アングル21一端（上端）の前記取付孔22と右側縦枠部12下端のボルト挿通孔23とを連通させてこの連通孔22・23に連結用ボルト24を挿通し、この連結用ボルト24にナット19を螺着して締付け回動することにより、右側縦枠部12の下端に取付用アングル21を重合固定して垂下突出（縦設）状態に設けている。そして、この取付用アングル21他端（下端）の前記取付孔22に前記軒側固定部６Ａの締付ボルト20を挿通し、この締付ボルト20にナット19を螺着して締付け回動することにより、この締付ボルト20を支軸にして軒側固定部６Ａが取付用アングル21（右側縦枠部12）に対し起伏回動可能となる枢着構造としている。
【００３７】
また、この柵部材２は、その高さ寸法を７００〜１０００ｍｍ（好ましくは８５０ｍｍ程度）に設定して、屋根１上面に立設状態に設置したこの柵部材２の上側横枠部13が、成人男性の腰程度の高さに配設する構成とすると共に、その横幅寸法を一間程度（１８２０ｍｍ程度）に設定している。
【００３８】
また、この柵部材２は、その左側縦枠部11と右側縦枠部12の下部寄り位置間に足下支持桟14を架設状態に設けている。
【００３９】
この足下支持桟14は、前記上側横枠部13及び下側横枠部15と同長のアングル鋼材４を採用して構成し、上側横枠部13，下側横枠部15と同様に、その一側板部14Ａが前方へ突出すると共に、他側板部14Ｂが下方へ垂下突出するように配設して、この他側板部14Ｂを左側縦枠部11と前記右側縦枠部12の一側板部11Ａ・12Ａに重合固定した構成としている。
【００４０】
また、この足下支持桟14の左側縦枠部11及び前記右側縦枠部12への重合固定構造は、図３に示すように、左側縦枠部11と前記右側縦枠部12の一側板部11Ａ・12Ａの中ほどよりやや下方位置に桟固定孔25を貫通形成する一方、この桟固定孔25と連通させる合せ孔26を足下支持桟14の左右両端に貫通形成し、この桟固定孔25と合せ孔26とを連通させてこの連通孔25・26に固定ボルト18を挿通し、固定ボルト18にナット19を螺着して締付け回動することにより、左側縦枠部11と右側縦枠部12の一側板部11Ａ・12Ａに架設状態にして足下支持桟14の他側板部14Ｂを重合固定した構造としている。
【００４１】
この足下支持桟14は、４０ｃｍ程度の高さに設置することが好ましいが、現場の状況等に応じて適宜設計変更可能である。
【００４２】
本実施例の支持部材３は、一本のアングル鋼材４を採用して構成し、この支持部材３の一側板部３Ａの一端（上端）を、前記右側縦枠部12の他側板部12Ｂの上端に重合させて起伏回動自在に枢着している。
【００４３】
また、この支持部材３と右側縦枠部12上端の枢着部８の構造は、右側縦枠部12の他側板部12Ｂの上端にボルト挿通孔23を貫通形成する一方、このボルト挿通孔23と連通させる軸受孔27を支持部材３の一側板部３Ａの一端（上端）に貫通形成し、このボルト挿通孔23と軸受孔27とを連通させてこの連通孔23・27に連結用ボルト24を挿通し、この連結用ボルト24にナット19を螺着して締付け回動することにより、この連結用ボルト24を支軸として支持部材３が柵部材２（右側縦枠部12）に対し起伏回動自在となるように構成している。
【００４４】
また、この支持部材３の他端（下端）には、屋根１上面の瓦棒10Ａに締付固定可能な棟側固定部７を設けた構成としている。
【００４５】
この棟側固定部７は、前記軒側固定部６と同構造の雪止めアングル固定金具７Ａを採用し、この棟側固定部７Ａの締付ボルト20を支持部材３の一側板部３Ａの他端（下端）に貫通形成した軸受孔27に挿通し、この締付ボルト20にナット19を螺着して締付することにより、締付ボルト20を支軸として支持部材３の一側板部３Ａに対し起伏回動自在に枢着した構成としている。
【００４６】
従って、柵部材２の上部に一端を枢着した支持部材３を、この枢着部８を支点にして柵部材２に対し起伏回動させ、これに応じて軒側固定部６と棟側固定部７を起伏回動させると、軒側固定部６と棟側固定部７の屋根１上面への固定位置間隔を広狭調整することができ、この間隔調整により柵部材２の立設角度を変更することができる構成としている（図５参照）。尚、この間隔調整終了後は、前記枢着部８，軒側固定部６及び棟側固定部７を回動不能となるように締付固定してしまうことが好ましい。
【００４７】
本実施例では、このように構成した屋根転落防止装置Ａを基本の装置ユニットＡ１とし、この装置ユニットＡ１を設置対象の屋根１の大きさ（広さ）に応じて複数並設状態に設置することにより、任意の大きさ（屋根１の軒長に対応する長さ）の屋根転落防止装置Ａを構築可能な構成としている。
【００４８】
また、この際、本実施例の装置ユニットＡ１には、その右側にしか軒側固定部６と棟側固定部７がなく、この装置ユニットＡ１を単体で屋根１上に設置すると、装置ユニットＡ１の右側だけが固定される片持ち状態となってしまうが、本実施例では、前記柵部材２の左側縦枠部11と右側縦枠部12とに、他の柵部材２の右側縦枠部12と左側縦枠部11を連結可能な連結手段９を設けて、この連結手段９を介して複数の装置ユニットＡ１を屋根１上に左右並設状態に連結設置することにより、左隣の装置ユニットＡ１の軒側固定部６と棟側固定部７とが、右隣の装置ユニットＡ１の左側の屋根１への固定部として機能し、屋根１上に安定的に装置ユニットＡ１が設置固定されることになる構成としている。また、屋根１上で最も左端に設置する装置ユニットＡ１には、その左側縦枠部11の下端に前記軒側固定部６を固定すると共に、左側縦枠部11の上端に，前記棟側固定部７が固定された支持部材３を固定して片持ち状態を解消すると良い（図１参照）。
【００４９】
尚、装置ユニットＡ１を単体で用いて屋根転落防止装置Ａを構成しても良い（この場合も、左側縦枠部11の下端に前記軒側固定部６を固定すると共に、左側縦枠部11の上端に，前記棟側固定部７が固定された支持部材３を固定して片持ち状態を解消する。）。
【００５０】
また、連結手段９は、図４に示すように、右側縦枠部12の他側板部12Ｂに、その上端及び下端の前記ボルト挿通孔23に加えて、中ほどにもボルト挿通孔23を貫通形成する一方、左側縦枠部11の他側板部11Ｂにも、対応する上端・中ほど・下端の三箇所にボルト挿通孔23を貫通形成し、隣接する装置ユニットＡ１の左側縦枠部11と右側縦枠部12の他側板部11Ｂ・12Ｂ同士を重合し連通させた上中下三箇所の前記ボルト挿通孔23に連結用ボルト24を挿通し、各連結用ボルト24にナット19を螺着して締付け回動することにより、左側縦枠部11と右側縦枠部12をその他側板部11Ｂ・12Ｂ同士を重合させた状態で連結可能な構成としている。
【００５１】
即ち、本実施例では、右側縦枠部12の下端の取付用アングル21固定構造と、上端の支持部材３枢着構造とが、前記連結手段９としても機能する構成としている。
【実施例２】
【００５２】
本考案の具体的な実施例２について図６〜図９に基づいて説明する。
【００５３】
本実施例は、図６，図９に示すように、横葺き屋根１Ｂ用に構成した場合である。
【００５４】
具体的には、本実施例では、軒先固定部６と棟側固定部７とを、図７〜図９に示すように、締付ボルト29によるハゼ10Ｂ（突部10）への締付固定構造を具備する公知の横葺き屋根１Ｂ用の雪止め固定金具６Ｂ・７Ｂで構成している。
【００５５】
また、本実施例の軒側固定部６Ｂは、前記右側縦枠部12に対し取付用アングル30を介して起伏回動可能に設けると共に、棟側固定部７Ｂも、前記支持部材３に対し取付用アングル30を介して起伏回動可能に設けている。
【００５６】
具体的には、取付用アングル30は、図８に示すように、短尺のアングル鋼材４を採用すると共に、一側板部30Ａの一端と、他側板部30Ｂの他端に取付孔31を貫通形成した構成としている。
【００５７】
この取付用アングル30を用いた軒側固定部６Ｂの右側縦枠部12下端への枢着構造は、一端を上に向けて縦設状態にした取付用アングル30の一側板部30Ａを右側縦枠部12下端の他側板部12Ｂに重合し、取付用アングル30一端の前記取付孔31と右側縦枠部12下端の前記ボルト挿通孔23とを連通させてこの連通孔31・23に連結用ボルト24を挿通し、この連結用ボルト24にナット19を螺着して締付け回動することにより、右側縦枠部12の下端に取付用アングル30を重合固定して垂下突出（縦設）状態に設けると共に、連結用ボルト24を支軸として右側縦枠部12に対し取付用アングル30を起伏回動自在に設けている。そして、前記軒側固定部６Ｂに設けたボルト通し孔33と、取付用アングル30の他側板部30Ｂの他端（下端）の前記取付孔31とを連通させてこの連通孔33・31に取付ボルト32を挿通し、この取付ボルト32にナット19を螺着して締付け回動することにより取付用アングル30に軒側固定部６Ｂを固定して、この軒側固定部６Ｂが取付用アングル30と共に右側縦枠部12に対し起伏回動可能となる枢着構造としている。
【００５８】
また、取付用アングル30を用いた棟側固定部７Ｂの支持部材３下端への枢着構造は、横設状態にした取付用アングル30の一側板部30Ａを支持部材３の一側板部３Ａの下端に重合し、取付用アングル30一端の前記取付孔31と支持部材３下端の軸受孔27とを連通させてこの連通孔31・27に軸ボルト28を挿通し、この軸ボルト28にナット19を螺着して締付け回動することにより、支持部材３の下端に取付用アングル30を重合固定して横設状態に設けると共に、軸ボルト28を支軸として支持部材３に対し取付用アングル30を起伏回動自在に設けている。そして、前記棟側固定部７Ｂの締付ボルト29を取付用アングル30の他側板部30Ｂの他端の前記取付孔31に挿通し、この締付ボルト29にナット19を螺着して締付け回動することにより取付用アングル30に棟側固定部７Ｂを固定して、この棟側固定部７Ｂが取付用アングル30と共に支持部材３に対し起伏回動可能となる枢着構造としている。
【００５９】
他の構成は、前記実施例１と同様である。
【００６０】
尚、本考案は、実施例１，２に限られるものではなく、各構成要件の具体的構成は適宜設計し得るものである。
【符号の説明】
【００６１】
１  屋根
２  柵部材
３  支持部材
４  アングル鋼材
５  枠内開口部・雪排出用開口部
６  軒側固定部
７  棟側固定部
８  枢着部
９  連結手段
10  突部
10Ａ  瓦棒
10Ｂ  ハゼ
11  左側縦枠部
12  右側縦枠部
13  上側横枠部
14  足下支持桟
Ａ  屋根転落防止装置
【図１】
0003197865.tif 000003
【図２】
0003197865.tif 000004
【図３】
0003197865.tif 000005
【図４】
0003197865.tif 000006
【図５】
0003197865.tif 000007
【図６】
0003197865.tif 000008
【図７】
0003197865.tif 000009
【図８】
0003197865.tif 000010
【図９】
0003197865.tif 000011